(57)【要約】      （修正有）【課題】手や膝等に打ち付けた際の打音を効果的に発すると共に、この打音に連動させて発光表示することによって、野球等の各種スポーツの応援を盛り上げるための応援バットを提供する。【解決手段】通気孔１３ａ，１４ａを有するグリップ部１３及びヘッド部１４からなるバット形のケース１２と、該ケース１２内で一端が固定され、他端がフリー端２１ｂとなるように配置され、フリー端２１ｂに錘部２３が設けられる圧電振動体２１と、ヘッド部１４の外周に配置され、圧電振動体２１と電気的に接続される複数のＬＥＤ３４の配列からなる発光部３１とを備え、ケース１２には、通気孔１３ａ，１４ａを通じて連通する通気路１７が設けられ、この通気路１７を介してヘッド部１４に加えた衝撃音を外部に拡散させると共に、ヘッド部１４の揺動に連動して発光部３１を発光させる。【選択図】図７
0003202052.tif 000002
【実用新案登録請求の範囲】
【請求項１】
小径のグリップ部及びこのグリップ部から延びる大径のヘッド部からなり、前記グリップ部及びヘッド部にそれぞれ通気孔を有するバット形のケースと、
該ケース内で一端が固定され、他端がフリー端となるように配置され、前記フリー端に錘部が設けられる圧電振動体と、
前記ヘッド部の外周に配置され、前記圧電振動体と電気的に接続される複数の発光素子の配列からなる発光部とを備え、
前記ケースには、前記グリップ部及びヘッド部のそれぞれの通気孔を通じて連通する通気路が設けられ、この通気路を介して前記ヘッド部に加えた衝撃音を外部に拡散させると共に、前記ヘッド部の揺動に連動して前記発光部を発光させることを特徴とする応援バット。
【請求項２】
前記グリップ部は円形状の外周面を有し、前記ヘッド部は楕円形状の外周面を有して形成されている請求項１に記載の応援バット。
【請求項３】
前記圧電振動体は、前記通気路内に配置され、一端が前記ヘッド部の先端に固定され、前記錘部を有したフリー端が前記グリップ部側に延びている請求項１に記載の応援バット。
【請求項４】
前記グリップ部は、端部に該グリップ部よりも径の大きいグリップエンドが設けられ、このグリップエンドの端部に前記通気孔が設けられている請求項１に記載の応援バット。
【請求項５】
前記ヘッド部は、端部に着脱可能なヘッドトップが設けられ、このヘッドトップに前記通気孔が設けられると共に、前記圧電振動体の一端が固定されている請求項１に記載の応援バット。
【考案の詳細な説明】
【技術分野】
【０００１】
本考案は、スポーツなどの各種イベントの観戦や応援に使用される応援グッズであって、特に野球の観戦や応援において使用される応援バットに関する。
【背景技術】
【０００２】
従来、スポーツ等の観戦においては、鳴り物等の応援グッズが使用されている。このような応援グッズには、叩いて音を出すものや光を発するものが多く、特に野球の観戦にあっては、バットなどの競技用具を模した形の応援グッズが多い。
【０００３】
発光型の応援グッズとしては、各種形状のグッズに発光素子（ＬＥＤ）を組み込んだものや、このＬＥＤを発光させるための圧電素子を組み込んだものがある。特許文献１には、実施例としてバット形の応援グッズに前記ＬＥＤ及び圧電素子を組み込んだものが開示されている。
【０００４】
また、特許文献２には、応援グッズの一つであるメガホンに振動を感知して発光する発光部を組み込んだものが開示されている。
【先行技術文献】
【特許文献】
【０００５】
【特許文献１】特開２００４−３５８０５４号公報
【特許文献２】実用新案登録第２５１１９０２号
【考案の概要】
【考案が解決しようとする課題】
【０００６】
特許文献１に開示されているバット形の応援グッズは、バット形のケースの内部が密閉構造となっており、この空間内に圧電振動体が配置されているため、ケースを振ったり、叩いたりする際に生じる音が籠りやすく、応援の際の鳴り物としての十分な効果が得られない場合がある。
【０００７】
また、前記ケース内が密閉されているため、前記圧電振動体を振動させるための空気の変動が少なく、発光素子を明るく発光させるための電力が十分得られないおそれがある。
【０００８】
そこで、本考案の目的は、手や膝等に打ち付けた際の打音を効果的に発すると共に、この打音に連動させて発光表示することによって、野球等の各種スポーツの応援を盛り上げるための応援バットを提供することである。
【課題を解決するための手段】
【０００９】
上記課題を解決するために、本考案の応援バットは、小径のグリップ部及びこのグリップ部から延びる大径のヘッド部からなり、前記グリップ部及びヘッド部にそれぞれ通気孔を有するバット形のケースと、該ケース内で一端が固定され、他端がフリー端となるように配置され、前記フリー端に錘部が設けられる圧電振動体と、前記ヘッド部の外周に配置され、前記圧電振動体と電気的に接続される複数の発光素子の配列からなる発光部とを備え、前記ケースには、前記グリップ部及びヘッド部のそれぞれの通気孔を通じて連通する通気路が設けられ、この通気路を介して前記ヘッド部に加えた衝撃音を外部に拡散させると共に、前記ヘッド部の揺動に連動して前記発光部を発光させることを特徴とする。
【考案の効果】
【００１０】
本考案の応援バットによれば、実際の野球のバットを模したケース内にグリップ部及びヘッド部にそれぞれ設けた通気孔を通じて連通する通気路が設けられ、この通気路に一端が固定、他端がフリーとなるように圧電振動体を配置したことによって、振ったり、手や膝等に前記ケースの一部を打ち付けたりする際の振動で前記ケースの外周面に設けた発光部を発光させることができる。また、前記ケースを打ち付けた際に生じる音と共に前記発光部が発光点滅するので、音と光がマッチした応援効果を得ることができる。
【００１１】
また、圧電振動体がバット形のケースのヘッド部に一端が固定され、他端がグリップ部に向けてフリー端となっていることで、前記圧電振動体の振れ幅が大きくなるので、衝撃を与える手や膝等に負担が掛かることなく発光部の発光を行うことができる。
【００１２】
さらに、前記圧電振動体に振動を付与する錘部を取り換えることで、振れ幅を調整することができると共に、前記錘部の材質に応じた打音を得ることができる。
【図面の簡単な説明】
【００１３】
【図１】本考案に係る応援バットの斜視図である。
【図２】図１の応援バットの第１打面を示す正面図である。
【図３】図１の応援バットの第２打面を示す正面図である。
【図４】図２に示す応援バットのＡ−Ａ断面図である。
【図５】図１に示す応援バットの先端部の平面図である。
【図６】図３に示す応援バットのＢ−Ｂ断面図である。
【図７】図１に示す応援バットの分解斜視図である。
【図８】上記応援バットの使用例を示す説明図である。
【考案を実施するための形態】
【００１４】
以下、添付図面に基づいて、本考案に係る応援バットの実施の形態を詳細に説明する。図１乃至図３に示すように、本考案の応援バット１１は、野球に使用する実際のバットを模した形状のケース１２によって形成されている。このケース１２は、内部が中空の樹脂によって形成され、片手で握るためのグリップ部１３と、このグリップ部１３からテーパ状に広がるようにして延びるヘッド部１４を有して形成されている。
【００１５】
前記グリップ部１３は、片手に握ることのできる径及び長さを有して円筒形状に形成されており、端部には径の太いグリップエンド１６が設けられ、このグリップエンド１６の端部に円形状の通気孔１３ａが開設されている。
【００１６】
前記ヘッド部１４は、先端部が通気孔１４ａを設けたヘッドトップ１５となっており、このヘッドトップ１５を含めた外周面が楕円形状となっている。このヘッド部１４には、楕円形状の外周面に沿って発光部３１が設けられている。本実施形態では、前記ヘッドトップ１５がヘッド部１４から分離可能な構成となっており、このヘッドトップ１５の内側面に後述する圧電振動体２１の一端が固定されている。
【００１７】
図４に示すように、前記ケース１２の内部には、前記グリップエンド１６の端部に形成されている通気孔１３ａとヘッドトップ１５の端部に形成されている通気孔１４ａとが連通する通気路１７が形成されている。前記ケース１２はバット形を模したものであるが、実際の野球に使用されるバットと相似形である必要はない。
【００１８】
前記ヘッド部１４の外周面は、外部からの衝撃によって前記圧電振動体２１を振動させると共に打撃音を発する打面となっており、図２に示したように曲率の緩やかな一対の第１打面１８と、図３に示したように曲率の急峻な第２打面１９とからなっている。前記第１打面１８は、打ち付ける面積が広く、また、図４に示したように、前記圧電振動体２１の撓る方向に面しているので、大きな打音と共に、発光部３１における発光強度を強くする効果がある。一方、前記第２打面１９は、打ち付ける面積が少なく、また、図４に示したように、前記圧電振動体２１の撓る方向と直交しているので、前記第１打面１８に比べて打音が小さくなると共に、発光部３１における発光強度を抑える効果がある。
【００１９】
前記ヘッドトップ１５に設けられている通気孔１４ａは、前記ヘッド部１４の第１打面１８又は第２打面１９を叩いて音を出す際の音抜け用として設けられるものである。この通気孔１４ａは、前記ヘッドトップ１５の外周面に沿ってスリット状に形成することによって、ケース１２内に音が籠らないように外部に拡散させることができる。これによって、手や膝等への衝撃を低減しつつ、より大きな効果音を発生させることが可能となる。なお、前記通気孔１４ａの形状や数は図１及び図５に示した実施形態に限定するものではなく、中心部に設けたり、網目状に設けたりするなど、発生させる打音に対して適宜設定することができる。
【００２０】
図４に示したように、前記圧電振動体２１は、圧電素子（図示せず）を一対の電極板２２で挟んだシート構造となっており、外部から与えられた振動を圧電効果によって前記発光部に電圧を供給する。前記一対の電極板２２は、撓み変形可能な金属板によって矩形状に形成されている。
【００２１】
図７に示すように、前記圧電振動体２１は、一端２１ａが前記ヘッドトップ１５の内側中心部に固定され、他端がフリー端２１ｂとなって前記通気路１７内のグリップ部１３方向に向けて延びている。また、前記フリー端２１ｂには、電極板２２の振動を増幅するための錘部２３が設けられる。この錘部２３は、ゴム又は樹脂等の弾性部材が使用され、前記フリー端２１ｂの振れ幅を大きくすることで、電力変換効率を高める効果を有する。また、前記錘部２３を弾性部材としたことで、ケース１２の内壁に衝突する際の衝撃を低減して破損等を防止することができる。
【００２２】
図６及び図７に示したように、前記発光部３１は、前記ヘッド部１４のヘッドトップ１５につながる外周面に沿って設けられる帯状の凹設部３２と、この凹設部３２に沿って配設される折り曲げ変形可能な帯状のシート基材３３と、このシート基材３３の表面に実装される複数の発光素子（ＬＥＤ）３４と、この複数のＬＥＤ３４の表面を覆うようにして前記凹設部３２に装着される樹脂製の透明カバー３５とを有して構成されている。
【００２３】
前記シート基材３３には、前記複数のＬＥＤ３４を電気的に接続するための電極パターンが形成され、両端に一対のリード線２４が設けられる。この一対のリード線２４は、一方がアノード、他方がカソードとなり、前記圧電振動体２１の一対の電極板２２にそれぞれ電気的に接続される。
【００２４】
前記複数のＬＥＤ３４は、青色、赤色、緑色等の各種の発光色の中から選択して使用することができ、全て同一発光色のＬＥＤで構成したり、異なった発光色のＬＥＤを交互に配置したりすることができる。また、前記透明カバー３５に透光性の着色を施したり、透明カバー３５の内側に各色の透光性のフィルム部材を配置したりすることによって、様々な発光パターンを得ることができる。本実施形態では、ＬＥＤ３４をヘッド部１４の外周面に沿って一列に等間隔に配置したが、２列以上の複数列あるいはジグザグ状に配置すると共に、配列ごとに発光色の異なるＬＥＤを配置することもできる。このようなＬＥＤ３４の多様な配列によって応援効果をより高めることができる。
【００２５】
本実施形態では、前記発光部３１を振れ幅の大きいヘッド部１４のヘッドトップ１５側に設け、複数のＬＥＤ３４を楕円形状のヘッド部１４の外周面に沿って均等に配置したので、グリップ部１３を持って振ったり、前記ヘッド部１４を手や膝に当てて叩いたりするなどして応援する際に、どのような方向に向けて振ったり叩いたりしても前記発光部３１から発せられる光を目立たせることができる。
【００２６】
次に、上記実施形態の応援バット１１の使用例を図８に基づいて説明する。この応援バット１１を使用する際には、グリップ部１３を片手で持ち、振り下ろしたり、手首のスナップをきかせたりするようにヘッド部１４を揺らすことで、このヘッド部１４の振れ幅に応じて発光部３１を発光させることができる。
【００２７】
また、前記ヘッド部１４の第１打面１８又は第２打面１９を手や膝等に向けて叩いたり、前記応援バット１１を両手に持って双方の応援バット１１のヘッド部１４同士をぶつけるようにして叩いたりすることによって、このときの打撃音と連動して前記発光部３１が発光する。前述したように、前記圧電振動体３１が撓み変形する金属板２２によって形成されると共に、フリー端２１ｂに錘部２３が設けられているので、振る動作と叩く動作によって発光部３１が最も明るく発光し、その後しばらく前記圧電振動体３１が振動するので、徐々に減衰しながら発光を持続させることができる。
【００２８】
前記圧電振動体２１の振れ幅は、前記グリップ部１３を基点としたヘッド部１４の振れ幅に応じて変化するが、前記圧電振動体２１のフリー端２１ｂに設けられる錘部２３の重量や大きさを調整することによって発光量を調整することができる。また、前記錘部２３の材質を変えることによって、ヘッド部１４を叩くなどした際の打撃音を変化させることができる。例えば、前記錘部２３にゴムや樹脂等を使用した場合は、打撃音を低減させることができ、硬質性の樹脂や金属材料を使用することによって、乾いた音や金属音を伴う打撃音を発することができる。
【００２９】
また、図２に示した第１打面１８で叩く際には、図４に示したように前記圧電振動体２１の電極板２２の撓り量が多くなるため、発電量が多くなり発光部３１の発光量を大きくすることができる。一方、図３に示した第２打面１９で叩く際には、前記圧電振動体２１の電極板２２の撓り量が少なくなるため、発電量が少なくなり、発光部３１の発光量を小さくすることができる。また、前記第１打面１８と第２打面１９とでは衝撃を加える面積が異なるため、それぞれで打音が変化する。このため、前記第１打面１８及び第２打面１９のいずれかを選択して叩くことによって、発光及び打音を変化させた応援効果を得ることができる。
【００３０】
さらに、図７に示したように、前記ヘッドトップ１５がヘッド部１４から着脱可能となっているので、応援バット１１を使用する人の握力や使用状況に応じて前記錘部２３を重量や材質の異なるものに取り換えることができる。また、ヘッドトップ１５に形成される通気孔１４ａの位置、形状及び個数を設定することによって、ヘッド部１４から発する打撃音の大きさや響き等を調整することができる。
【符号の説明】
【００３１】
１１  応援バット
１２  ケース
１３  グリップ部
１３ａ  通気孔
１４  ヘッド部
１４ａ通気孔
１５  ヘッドトップ
１６  グリップエンド
１７  通気路
１８  第１打面
１９  第２打面
２１  圧電振動体
２１ａ  一端
２１ｂ  フリー端
２２  電極板
２３  錘部
２４  リード線
３１  発光部
３２  凹設部
３３  シート基材
３４  ＬＥＤ
３５  透明カバー
【図１】
0003202052.tif 000003
【図２】
0003202052.tif 000004
【図３】
0003202052.tif 000005
【図４】
0003202052.tif 000006
【図５】
0003202052.tif 000007
【図６】
0003202052.tif 000008
【図７】
0003202052.tif 000009
【図８】
0003202052.tif 000010